(57)【特許請求の範囲】
【請求項１】
無線通信システムにおいてｅＮＢ（ｅＮｏｄｅＢ）が３ＧＰＰ  ＬＴＥを実行する方法であって、
ＷＬＡＮオフローディングが支援されることを知らせる第１の情報をＭＭＥ（ｍｏｂｉｌｉｔｙ  ｍａｎａｇｅｍｅｎｔ  ｅｎｔｉｔｙ）に送信し、
オフロードされうる特定端末（ＵＥ）のＥ−ＵＴＲＡＮ無線アクセスベアラ（Ｅ−ＲＡＢ）についての第２の情報を受信し、前記第２の情報は、前記ＷＬＡＮオフローディングが実行されるかを報告することを前記ｅＮＢに要求し、
前記第２の情報に基づいて前記特定端末（ＵＥ；ｕｓｅｒ  ｅｑｕｉｐｍｅｎｔ）に対して前記ＷＬＡＮオフローディングを適用し、
前記ＷＬＡＮオフローディングが前記ＭＭＥに対して実行されることを報告することを含む、方法。
【請求項２】
前記第１の情報は、支援されるＷＬＡＮ識別子（ＩＤｓ；ｉｄｅｎｔｉｆｉｅｒｓ）を含む、請求項１に記載の方法。
【請求項３】
前記第２の情報は、前記特定端末（ＵＥ）の全てのベアラがオフローディングされ得るか、またはオフローディングされ得ないかを指示する、請求項１に記載の方法。
【請求項４】
前記第２の情報は、前記ＷＬＡＮオフローディングが前記ＭＭＥの政策に影響を与えることを指示する、請求項１に記載の方法。
【請求項５】
前記政策は、課金（ｃｈａｒｇｉｎｇ）である、請求項４に記載の方法。
【請求項６】
前記第１の情報は、初期ＵＥメッセージまたは上向きリンクＮＡＳ（ｎｏｎ−ａｃｃｅｓｓ  ｓｔｒａｔｕｍ）送信メッセージを介して送信される、請求項１に記載の方法。
【請求項７】
前記第２の情報は、初期コンテクスト設定要請メッセージ、Ｅ−ＲＡＢ（Ｅ−ＵＴＲＡＮ  ｒａｄｉｏ  ａｃｃｅｓｓ  ｂｅａｒｅｒ）設定要請メッセージ、またはＥ−ＲＡＢ修正要請メッセージを介して受信される、請求項１に記載の方法。
【発明の詳細な説明】
【技術分野】
【０００１】
本発明は、無線通信に関し、より詳細には、無線通信システムにおいて３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ−ｔｅｒｍ  ｅｖｏｌｕｔｉｏｎ）とＷＬＡＮ（ｗｉｒｅｌｅｓｓ  ｌｏｃａｌ  ａｒｅａ  ｎｅｔｗｏｒｋ）の調整を向上させるための方法及び装置に関する。
【背景技術】
【０００２】
３ＧＰＰ ＬＴＥは、高速パケット通信を可能とするための技術である。ＬＴＥ目標であるユーザと事業者の費用節減、サービス品質向上、カバレッジ拡張及びシステム容量増大のために多くの方式が提案された。３ＧＰＰ ＬＴＥは、上位レベル必要条件として、ビット当たり費用節減、サービス有用性向上、周波数バンドの柔軟な使用、簡単な構造、開放型インターフェース及び端末の適切な電力消費を要求する。
【０００３】
Ｒｅｌ−８の以後、３ＧＰＰは３ＧＰＰ接続ネットワークと非−３ＧＰＰ接続ネットワーク（例えば、ＷＬＡＮ（wireless local area network）との間のインターワーキングのためのＡＮＤＳＦ（access network discovery and selection functions）を標準化した。ＡＮＤＳＦは、ＵＥ（user equipment）の位置で接続可能な接続ネットワークの検出情報（例えば、ＷＬＡＮ、ＷｉＭＡＸ位置情報など）、運営者の政策を反映することができるＩＳＭＰ（inter-system mobility policies）、及びＩＳＲＰ（inter-system routing policy）を運ぶことができる。前述した情報に基づいて、ＵＥはあるＩＰ（Internet protocol）トラフィックがある接続ネットワークを介して送信されるかを決定することができる。ＩＳＭＰは、ＵＥが一つの活性化された接続ネットワーク連結（例えば、ＷＬＡＮまたは３ＧＰＰ）を選択するためのネットワーク選択規則を含むことができる。ＩＳＲＰは、ＵＥが一つ以上の可能な活性化された接続ネットワーク連結（ＷＬＡＮ及び３ＧＰＰ全て）を選択するためのネットワーク選択規則を含むことができる。ＩＳＲＰは、ＭＡＰＣＯＮ（multiple access connectivity）、ＩＦＯＭ（IP flow mobility）、及び非−シームレス（non-seamless）ＷＬＡＮオフローディングを含むことができる。ＡＮＤＳＦとＵＥとの間の動的プロビジョニングにＯＭＡ（open mobile alliance）ＤＭ（device management）が利用できる。
【０００４】
ＷＬＡＮインターワーキング及び統合（ｉｎｔｅｇｒａｔｉｏｎ）が３ＧＰＰ標準文書により現在ＣＮレベルで支援され、これは、ＷＬＡＮへの連続的（ｓｅａｍｌｅｓｓ）及び非−連続的移動性を共に含む。３ＧＰＰは、Ｒｅｌ−１２においてＷＬＡＮ／３ＧＰＰインターワーキングのための可能なＲＡＮレベル向上を研究することに合意した。特に、ＡＮＤＳＦの他に、政策、すなわち、ＲＡＮ（ｒａｄｉｏ  ａｃｃｅｓｓ  ｎｅｔｗｏｒｋ）規則が３ＧＰＰアクセスネットワークと非−３ＧＰＰアクセスネットワーク（例えば、ＷＬＡＮ）との間の連動のために、Ｒｅｌ−１２で特定された。この政策によって、ＬＴＥとＷＬＡＮとの間のアクセスネットワーク選択及びトラフィック調整が支援され得る。
【０００５】
ＬＴＥとＷＬＡＮのインターワーキングは、次第にＬＴＥとＷＬＡＮを統合する方向に進んでいる。これにより、ＬＴＥ−ＷＬＡＮインターワーキングの向上のみならず、ＬＴＥ−ＷＬＡＮ集成（ａｇｇｒｅｇａｔｉｏｎ）が最近研究されている。
【発明の概要】
【発明が解決しようとする課題】
【０００６】
本発明は、無線通信システムにおいて３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ−ｔｅｒｍ  ｅｖｏｌｕｔｉｏｎ）とＷＬＡＮ（ｗｉｒｅｌｅｓｓ  ｌｏｃａｌ  ａｒｅａ  ｎｅｔｗｏｒｋ）の調整を向上させるための方法及び装置を提供する。本発明は、ｅＮＢ（ｅＮｏｄｅＢ）がＬＴＥからＷＬＡＮに、またはＷＬＡＮからＬＴＥにベアラをオフノードするように決定することを補助するための方法及び装置を提供する。
【課題を解決するための手段】
【０００７】
一態様において、無線通信システムにおいてｅＮＢ（ｅＮｏｄｅＢ）による３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ−ｔｅｒｍ  ｅｖｏｌｕｔｉｏｎ）とＷＬＡＮ（ｗｉｒｅｌｅｓｓ  ｌｏｃａｌ  ａｒｅａ  ｎｅｔｗｏｒｋ）の調整のための指示を送信する方法が提供される。前記方法は、ＷＬＡＮオフローディング支援の第１の指示をＭＭＥ（ｍｏｂｉｌｉｔｙ  ｍａｎａｇｅｍｅｎｔ  ｅｎｔｉｔｙ）に送信し、及び互いに異なる課金（ｃｈａｒｇｉｎｇ）規則を適用する第２の指示を前記ｅＮＢから受信することを含む。
【０００８】
他の態様において、無線通信システムにおいてｅＮＢ（ｅＮｏｄｅＢ）による３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ−ｔｅｒｍ  ｅｖｏｌｕｔｉｏｎ）とＷＬＡＮ（ｗｉｒｅｌｅｓｓ  ｌｏｃａｌ  ａｒｅａ  ｎｅｔｗｏｒｋ）の調整のための指示を送信する方法が提供される。前記方法は、ＷＬＡＮオフローディング支援の第１の指示をＭＭＥ（ｍｏｂｉｌｉｔｙ  ｍａｎａｇｅｍｅｎｔ  ｅｎｔｉｔｙ）に送信し、あるベアラがオフローディングされ得るかに関する第２の指示を前記ＭＭＥから受信し、及び前記第２の指示に応じて特定端末（ＵＥ；ｕｓｅｒ  ｅｑｕｉｐｍｅｎｔ）に対してオフローディングを適用することを含む。
【発明の効果】
【０００９】
３ＧＰＰ／ＷＬＡＮ調整が向上され得る。
【図面の簡単な説明】
【００１０】
【図１】ＬＴＥシステムの構造を示す。
【図２】一般的なＥ−ＵＴＲＡＮ及びＥＰＣの構造のブロック図を示す。
【図３】ＬＴＥシステムのユーザ平面プロトコルスタックのブロック図を示す。
【図４】ＬＴＥシステムの制御平面プロトコルスタックのブロック図を示す。
【図５】物理チャネル構造の一例を示す。
【図６】ＬＴＥ／ＷＬＡＮ調整（ｃｏｏｒｄｉｎａｔｉｏｎ）のためのアーキテクチャの一例を示す。
【図７】本発明の一実施形態に係るＬＴＥ／ＷＬＡＮ調整のための指示を送信するための方法を示す。
【図８】本発明の他の実施形態に係るＬＴＥ／ＷＬＡＮ調整のための指示を送信するための方法を示す。
【図９】本発明の他の実施形態に係るＬＴＥ／ＷＬＡＮ調整のための指示を送信するための方法を示す。
【図１０】本発明の他の実施形態に係るＬＴＥ／ＷＬＡＮ調整のための指示を送信するための方法を示す。
【図１１】本発明の他の実施形態に係るＬＴＥ／ＷＬＡＮ調整のための指示を送信するための方法を示す。
【図１２】本発明の他の実施形態に係るＬＴＥ／ＷＬＡＮ調整のための指示を送信するための方法を示す。
【図１３】本発明の他の実施形態に係るＬＴＥ／ＷＬＡＮ調整のための指示を送信するための方法を示す。
【図１４】本発明の他の実施形態に係るＬＴＥ／ＷＬＡＮ調整のための指示を送信するための方法を示す。
【図１５】本発明の他の実施形態に係るＬＴＥ／ＷＬＡＮ調整のための指示を送信するための方法を示す。
【図１６】本発明の実施形態が実現される無線通信システムを示す。
【発明を実施するための形態】
【００１１】
以下の技術は、ＣＤＭＡ(code division multiple access)、ＦＤＭＡ(frequency division multiple access)、ＴＤＭＡ(time division multiple access)、ＯＦＤＭＡ(orthogonal frequency division multiple access)、ＳＣ−ＦＤＭＡ(single carrier frequency division multiple access)などのような多様な無線通信システムに使用され得る。ＣＤＭＡは、ＵＴＲＡ(universal terrestrial radio access)やＣＤＭＡ２０００のような無線技術で実現されることができる。ＴＤＭＡは、ＧＳＭ(global system for mobile communications)/ＧＰＲＳ(general packet radio service)/ＥＤＧＥ(enhanced data rates for GSM evolution)のような無線技術で実現されることができる。ＯＦＤＭＡは、ＩＥＥＥ(institute of electrical and electronics engineers)８０２.１１(Ｗｉ−Ｆｉ)、ＩＥＥＥ８０２.１６(ＷｉＭＡＸ)、ＩＥＥＥ８０２.２０、Ｅ−ＵＴＲＡ(evolved UTRA)などのような無線技術で実現されることができる。ＩＥＥＥ８０２.１６ｍは、ＩＥＥＥ８０２.１６ｅの進化であり、ＩＥＥＥ８０２.１６基づくシステムとの後方互換性(backward compatibility)を提供する。ＵＴＲＡは、ＵＭＴＳ(universal mobile telecommunications system)の一部である。３ＧＰＰ(3rd generation partnership project)ＬＴＥ(long term evolution)は、Ｅ−ＵＴＲＡ(evolved-UMTS terrestrial radio access)を使用するＥ−ＵＭＴＳ(evolved UMTS)の一部であり、ダウンリンクでＯＦＤＭＡを採用し、アップリンクでＳＣ−ＦＤＭＡを採用する。ＬＴＥ−Ａ(advanced)は、３ＧＰＰ ＬＴＥの進化である。
【００１２】
説明を明確にするために、ＬＴＥ−Ａを中心に記述するが、本発明の技術的思想がこれに制限されるものではない。
【００１３】
図１は、ＬＴＥシステムの構造を示す。通信ネットワークは、ＩＭＳ及びパケットデータを介したインターネット電話(Voice over internet protocol：ＶｏＩＰ)のような多様な通信サービスを提供するために広く設置される。
【００１４】
図１に示すように、ＬＴＥシステム構造は、一つ以上の端末(ＵＥ)１０、Ｅ−ＵＴＲＡＮ(evolved-UMTS terrestrial radio access network)及びＥＰＣ(evolved packet core)を含む。端末１０は、ユーザにより動く通信装置である。端末１０は、固定されてもよいし、移動性を有してもよく、ＭＳ(mobile station)、ＵＴ(user terminal)、ＳＳ(subscriber station)、無線機器(wireless device)等、他の用語で呼ばれることもある。
【００１５】
Ｅ−ＵＴＲＡＮは一つ以上のｅＮＢ（evolved node-B）２０を含み、一つのセルに複数のＵＥが存在することができる。ｅＮＢ２０は制御平面（control plane）とユーザ平面（user plane）の終端点をＵＥに提供する。ｅＮＢ２０は一般的にＵＥ１０と通信する固定された地点（fixed station）をいい、ＢＳ（base station）、アクセスポイント（access point）など、他の用語で呼ばれることがある。一つのｅＮＢ２０はセル毎に配置できる。
【００１６】
以下、ＤＬはｅＮＢ２０からＵＥ１０への通信を意味し、ＵＬはＵＥ１０からｅＮＢ２０への通信を意味する。ＤＬで送信機はｅＮＢ２０の一部であり、受信機はＵＥ１０の一部でありうる。ＵＬで送信機はＵＥ１０の一部であり、受信機はｅＮＢ２０の一部でありうる。
【００１７】
ＥＰＣはＭＭＥ（mobility management entity）及びＳ−ＧＷ（serving gateway）を含む。ＭＭＥ／Ｓ−ＧＷ ３０はネットワークの終端に配置できる。明確性のために、本願でＭＭＥ／Ｓ−ＧＷ ３０は単純に“ゲートウェイ”と称されるが、このような個体はＭＭＥ及びＳ−ＧＷを含むものとして理解される。ＰＤＮ（packet data network）ゲートウェイ（Ｐ−ＧＷ）は外部ネットワークに連結できる。
【００１８】
ＭＭＥはｅＮＢ２０へのＮＡＳ（non-access stratum）シグナリング、ＮＡＳシグナリング保安、ＡＳ（access stratum）保安制御、３ＧＰＰアクセスネットワーク間の移動性のためのｉｎｔｅｒ ＣＮ（core network）ノードシグナリング、アイドルモード端末到達可能性（ページング再送信の制御及び実行含み）、トラッキング領域リスト管理（アイドルモード及び活性化モードであるＵＥのために）、Ｐ−ＧＷ（PDN（packet data network）gateway）及びＳ−ＧＷ選択、ＭＭＥ変更と共にハンドオーバーのためのＭＭＥ選択、２Ｇまたは３Ｇ ３ＧＰＰアクセスネットワークへのハンドオーバーのためのＳＧＳＮ（serving GPRS support node）選択、ローミング、認証、専用ベアラ設定を含んだベアラ管理機能、ＰＷＳ（public warning system：地震／津波警報システム（ＥＴＷＳ）、及び常用モバイル警報システム（ＣＭＡＳ）含み）メッセージ送信サポートなどの多様な機能を提供する。Ｓ−ＧＷホストは、ユーザ別基盤パケットフィルタリング（例えば、深層パケット検査を通じて）、合法的遮断、端末ＩＰ（internet protocol）アドレス割当、ＤＬで送信レベルパッキングマーキング、ＵＬ／ＤＬサービスレベル課金、ゲーティング及び等級強制、ＡＰＮ−ＡＭＢＲ（access point name aggregate maximum bit rate）に基づいたＤＬ等級強制の各種の機能を提供する。
【００１９】
ユーザトラフィック送信または制御トラフィック送信のためのインターフェースが使用できる。ＵＥ１０及びｅＮＢ２０は、Ｕｕインターフェースにより連結される。ｅＮＢ２０はＸ２インターフェースにより相互間連結される。隣り合うｅＮＢ２０はＸ２インターフェースによる網型ネットワーク構造を有することができる。複数のノードはｅＮＢ２０とゲートウェイ３０との間にＳ１インターフェースを介して連結できる。
【００２０】
図２は、一般的なＥ−ＵＴＲＡＮ及びＥＰＣの構造のブロック図である。図２に示すように、ｅＮＢ２０はゲートウェイ３０に対する選択、ＲＲＣ（radio resource control）活性（activation）の間ゲートウェイ３０へのルーティング（routing）、ページングメッセージのスケジューリング及び送信、ＢＣＨ（broadcast channel）情報のスケジューリング及び送信、ＵＬ及びＤＬからＵＥ１０への資源の動的割当、ｅＮＢ測定の設定（configuration）及び提供（provisioning）、無線ベアラ制御、ＲＡＣ（radio admission control）及びＬＴＥ活性状態で連結移動性制御機能を遂行することができる。前述したように、ゲイウェイ３０はＥＰＣでページング開始、ＬＴＥアイドル状態管理、ユーザ平面の暗号化、ＳＡＥベアラ制御及びＮＡＳシグナリングの暗号化と無欠性保護機能を遂行することができる。
【００２１】
図３はＬＴＥシステムのユーザ平面プロトコルスタックのブロック図である。図４はＬＴＥシステムの制御平面プロトコルスタックのブロック図である。ＵＥとＥ−ＵＴＲＡＮとの間の無線インターフェースプロトコルの階層は通信システムで広く知られたＯＳＩ（open system interconnection）モデルの下位３階層に基づいて、Ｌ１（第１階層）、Ｌ２（第２階層）、及びＬ３（第３階層）に区分される。
【００２２】
物理階層（ＰＨＹ；physical layer）はＬ１に属する。物理階層は物理チャネルを介して上位階層に情報送信サービスを提供する。物理階層は上位階層であるＭＡＣ（media access control）階層と送信チャネル（transport channel）を介して連結される。物理チャネルは、送信チャネルにマッピングされる。送信チャネルを介してＭＡＣ階層と物理階層との間にデータが送信される。互いに異なる物理階層の間、即ち送信機の物理階層と受信機の物理階層との間にデータは物理チャネルを介して送信される。
【００２３】
ＭＡＣ階層、ＲＬＣ（radio link control）階層、及びＰＤＣＰ（packet data convergence protocol）階層はＬ２に属する。ＭＡＣ階層は、論理チャネル（logical channel）を介して上位階層であるＲＬＣ階層にサービスを提供する。ＭＡＣ階層は、論理チャネル上のデータ送信サービスを提供する。ＲＬＣ階層は、信頼性あるデータ送信をサポートする。一方、ＲＬＣ階層の機能はＭＡＣ階層の内部の機能ブロックで実現されることができ、この際、ＲＬＣ階層は存在しないこともある。ＰＤＣＰ階層は、相対的に帯域幅の小さい無線インターフェース上でＩＰｖ４またはＩＰｖ６のようなＩＰパケットを導入して送信されるデータが効率良く送信されるように不要な制御情報を減らすヘッダー圧縮機能を提供する。
【００２４】
ＲＲＣ（radio resource control）階層は、Ｌ３に属する。Ｌ３の最も下端部分に位置するＲＲＣ階層はただ制御平面のみで定義される。ＲＲＣ階層は、ＲＢ（radio bearer）などの設定（configuration）、再設定（re-configuration）、及び解除（release）と関連して論理チャネル、送信チャネル、及び物理チャネルなどの制御を担当する。ＲＢは、ＵＥとＥ−ＵＴＲＡＮとの間のデータ送信のためにＬ２により提供されるサービスを意味する。
【００２５】
図３に示すように、ＲＬＣ及びＭＡＣ階層（ネットワーク側におけるｅＮＢで終了）は、スケジューリング、ＡＲＱ及びＨＡＲＱのような機能を遂行することができる。ＰＤＣＰ階層（ネットワーク側におけるｅＮＢで終了）は、ヘッダー圧縮、無欠性保護、及び暗号化のようなユーザ平面機能を遂行することができる。
【００２６】
図４に示すように、ＲＬＣ／ＭＡＣ階層（ネットワーク側におけるｅＮＢで終了）は、制御平面のために同一な機能を遂行することができる。ＲＲＣ階層（ネットワーク側におけるｅＮＢで終了）は、放送、ページング、ＲＲＣ連結管理、ＲＢ制御、移動性機能、及びＵＥ測定報告及び制御のような機能を遂行することができる。ＮＡＳ制御プロトコル（ネットワーク側におけるゲートウェイのＭＭＥで終了）は、ＳＡＥベアラ管理、認証、ＬＴＥ＿ＩＤＬＥ移動性管理、ＬＴＥ＿ＩＤＬＥにおけるページング開始、及びゲートウェイとＵＥとの間のシグナリングのための保安制御などの機能を遂行することができる。
【００２７】
図５は、物理チャネル構造の一例を示す。物理チャネルは、無線資源を通じてＵＥの物理階層とｅＮＢの物理階層との間のシグナリング及びデータを送信する。物理チャネルは、時間領域で複数のサブフレームと周波数領域で複数の副搬送波で構成される。１ｍｓである一つのサブフレームは、時間領域で複数のシンボルで構成される。該当サブフレームの特定シンボル、例えばサブフレームの第１のシンボルはＰＤＣＣＨのために使用できる。ＰＤＣＣＨは、ＰＲＢ（physical resource block）及びＭＣＳ（modulation and coding schemes）のように動的に割り当てられた資源を運ぶことができる。
【００２８】
ＤＬ送信チャネルは、システム情報を送信するために使用されるＢＣＨ（broadcast channel）、ＵＥをページングするために使用されるＰＣＨ（paging channel）、ユーザトラフィックまたは制御信号を送信するために使用されるＤＬ−ＳＣＨ（downlink shared channel）、マルチキャストまたはブノードキャストサービス送信のために使用されるＭＣＨ（multicast channel）などを含む。ＤＬ−ＳＣＨは、ＨＡＲＱ、変調、コーディング及び送信電力の変化による動的リンク適応及び動的／半静的資源割当をサポートする。また、ＤＬ−ＳＣＨはセル全体にブロードキャスト及びビームフォーミングの使用を可能とすることができる。
【００２９】
ＵＬ送信チャネルは、一般的にセルへの初期接続のために使用されるＲＡＣＨ（random access channel）、ユーザトラフィック、または制御信号を送信するために使用されるＵＬ−ＳＣＨ（uplink shared channel）などを含む。ＵＬ−ＳＣＨは、ＨＡＲＱ及び送信電力及び潜在的な変調及びコーディングの変化による動的リンク適応をサポートする。また、ＵＬ−ＳＣＨはビームフォーミングの使用を可能とすることができる。
【００３０】
論理チャネルは、送信される情報の種類によって、制御平面の情報伝達のための制御チャネルとユーザ平面の情報伝達のためのトラフィックチャネルに分類される。即ち、論理チャネルタイプの集合はＭＡＣ階層により提供される互いに異なるデータ送信サービスのために定義される。
【００３１】
制御チャネルは、制御平面の情報伝達のみのために使用される。ＭＡＣ階層により提供される制御チャネルは、ＢＣＣＨ（broadcast control channel）、ＰＣＣＨ（paging control channel）、ＣＣＣＨ（common control channel）、ＭＣＣＨ（multicast control channel）、及びＤＣＣＨ（dedicated control channel）を含む。ＢＣＣＨは、システム制御情報を放送するためのＤＬチャネルである。ＰＣＣＨは、ページング情報の送信のためのＤＬチャネルであり、ネットワークがＵＥのセル単位の位置を知らない時に使用される。ＣＣＣＨは、ネットワークとＲＲＣ連結を有しない時、ＵＥにより使用される。ＭＣＣＨは、ネットワークからＵＥにＭＢＭＳ（multimedia broadcast multicast services）制御情報を送信するために使用される一対多のＤＬチャネルである。ＤＣＣＨは、ＵＥとネットワークとの間に専用制御情報送信のためにＲＲＣ連結を有するＵＥにより使用される一対一の両方向チャネルである。
【００３２】
トラフィックチャネルは、ユーザ平面の情報伝達のみのために使用される。ＭＡＣ階層により提供されるトラフィックチャネルは、ＤＴＣＨ（dedicated traffic channel）及びＭＴＣＨ（multicast traffic channel）を含む。ＤＴＣＨは一対一のチャネルであって、一つのＵＥのユーザ情報の送信のために使われて、ＵＬ及びＤＬ全てに存在することができる。ＭＴＣＨは、ネットワークからＵＥにトラフィックデータを送信するための一対多のＤＬチャネルである。
【００３３】
論理チャネルと送信チャネルとの間のＵＬ連結は、ＵＬ−ＳＣＨにマッピングできるＤＣＣＨ、ＵＬ−ＳＣＨにマッピングできるＤＴＣＨ、及びＵＬ−ＳＣＨにマッピングできるＣＣＣＨを含む。論理チャネルと送信チャネルとの間のＤＬ連結は、ＢＣＨまたはＤＬ−ＳＣＨにマッピングできるＢＣＣＨ、ＰＣＨにマッピングできるＰＣＣＨ、ＤＬ−ＳＣＨにマッピングできるＤＣＣＨ、ＤＬ−ＳＣＨにマッピングできるＤＴＣＨ、ＭＣＨにマッピングできるＭＣＣＨ、及びＭＣＨにマッピングできるＭＴＣＨを含む。
【００３４】
ＲＲＣ状態はＵＥのＲＲＣ階層がＥ−ＵＴＲＡＮのＲＲＣ階層と論理的に連結されているか否かを指示する。ＲＲＣ状態は、ＲＲＣ連結状態（ＲＲＣ＿ＣＯＮＮＥＣＴＥＤ）及びＲＲＣアイドル状態（ＲＲＣ＿ＩＤＬＥ）のように２種類に分けられる。ＲＲＣ＿ＩＤＬＥで、ＵＥがＮＡＳにより設定されたＤＲＸ（discontinuous reception）を指定する間に、ＵＥはシステム情報及びページング情報の放送を受信することができる。そして、ＵＥはトラッキング領域でＵＥを固有に指定するＩＤ（identification）の割当を受けて、ＰＬＭＮ（public land mobile network）選択及びセル再選択を遂行することができる。またＲＲＣ＿ＩＤＬＥで、いかなるＲＲＣコンテクストもｅＮＢに格納されない。
【００３５】
ＲＲＣ＿ＣＯＮＮＥＣＴＥＤで、ＵＥはＥ−ＵＴＲＡＮでＥ−ＵＴＲＡＮ ＲＲＣ連結及びコンテクストを有して、ｅＮＢにデータを送信及び／又はｅＮＢからデータを受信することが可能である。また、ＵＥはｅＮＢにチャネル品質情報及びフィードバック情報を報告することができる。ＲＲＣ＿ＣＯＮＮＥＣＴＥＤで、Ｅ−ＵＴＲＡＮはＵＥが属したセルを知ることができる。したがって、ネットワークはＵＥにデータを送信及び／又はＵＥからデータを受信することができ、ネットワークはＵＥの移動性（ハンドオーバー及びＮＡＣＣ（network assisted cell change）を通じてのＧＥＲＡＮ（GSM EDGE radio access network）でｉｎｔｅｒ−ＲＡＴ（radio access technology）セル変更指示）を制御することができ、ネットワークは隣り合うセルのためにセル測定を遂行することができる。
【００３６】
ＲＲＣ＿ＩＤＬＥで、ＵＥはページングＤＲＸ周期を指定する。具体的には、ＵＥはＵＥ特定ページングＤＲＸ周期毎の特定ページング機会（paging occasion）にページング信号をモニターする。ページング機会は、ページング信号が送信される間の時間区間である。ＵＥは、自分だけのページング機会を有している。ページングメッセージは、同一のトラッキング領域（ＴＡ；tracking area）に属する全てのセル上記に送信される。ＵＥが一つのＴＡから他のＴＡに移動すれば、ＵＥは自身の位置をアップデートするためにネットワークにＴＡＵ（tracking area update）メッセージを送信することができる。
【００３７】
３ＧＰＰ／ＷＬＡＮ無線インターワーキングＲｅｌｅａｓｅ−１２ソリューションは、ＱｏＥ（ｑｕａｌｉｔｙ  ｏｆ  ｅｘｐｅｒｉｅｎｃｅ）及びネットワーク活用を向上させ、運営者に多くの制御を提供することにより、コアネットワーク基盤ＷＬＡＮオフノードを向上させることができる。このような向上は、共に位置した及び共に位置しなかった配置シナリオの全てに関係したＬＴＥ−ＷＬＡＮ統合及びさらに、ＬＴＥ／ＷＬＡＮインターワーキング向上によって最も向上されることができる。
【００３８】
ＬＴＥ／ＷＬＡＮ統合の利点は、下記のとおりである。
【００３９】
（１）ＷＬＡＮ接続ネットワークは、ＷＬＡＮ−特定ＣＮノード及びＣＮインターフェースを要求すべきでないという観点でＣＮに透明になる。これは、運営者に３ＧＰＰ及びＷＬＡＮネットワークを個別的に管理することと反対に、これらの全ての統合された制御及び管理を提供する。
【００４０】
（２）相当な容量及びＱｏＥ向上を提供するための無線レベルにおける統合及びタイトな統合は、ＷＬＡＮ及びＬＴＥを介してのリアルタイムチャネル及びノード認識無線資源管理を可能とする。
【００４１】
（３）ＱｏＥ向上を提供し、サービス中断を最小化し、運営者制御を増加させるために、制御及び移動性アンカーとして信頼できるようなＬＴＥネットワークが使用され得る。
【００４２】
（４）新規ＷＬＡＮ−関連ＣＮシグナリングが必要でないので、ＣＮノードを減少させる。
【００４３】
ＬＴＥ／ＷＬＡＮ集成の長所は、共通−位置（ｃｏ−ｌｏｃａｔｅｄ）及び非−共通位置配置の両方で実現されることができる。小さいセル配置に該当する共通位置の場合、ＬＴＥ  ｅＮＢ及びＷＬＡＮ  ＡＰは、物理的に統合されて内部インターフェースを介して連結される。このようなシナリオは、ＬＴＥ搬送波集成と類似する。非−共通位置の場合、ＬＴＥ  ｅＮＢとＷＬＡＮは、外部インターフェースを介して連結される。このようなシナリオは、ＬＴＥ二重連結と類似する。共通位置及び非−共通位置の場合の両方で、ＷＬＡＮリンクは、データに対する２番目の接続で動作することに対し、制御は、ＲＲＣを介してｅＮＢにより管理される。
【００４４】
図６は、ＬＴＥ／ＷＬＡＮ調整のためのアーキテクチャの一例を示す。図６に示されたアーキテクチャは、共通位置の場合に対応する。図６に示すように、ｅＮＢは、ＷＬＡＮ  ＡＰと共通に位置する。または、ｅＮＢは、インターフェースによりＷＬＡＮと連結されることができる。また、ＵＥは、ＷＬＡＮステーション（ＳＴＡ；ｓｔａｔｉｏｎ）と共に配置されることができる。ｅＮＢは、Ｅ−ＵＴＲＡ  Ｕｕインターフェースを介してｅＮＢと連結され、ＷＬＡＮ  ＳＴＡは、Ｗｉ−Ｆｉを介してＷＬＡＮ  ＡＰと連結される。このような場合、ＬＴＥとＷＬＡＮのトラフィックは、ｅＮＢを介してコアネットワークに送信されることができる。すなわち、ＷＬＡＮのトラフィックは、ＬＴＥにより管理されることができる。
【００４５】
上記に提示されたＬＴＥ／ＷＬＡＮ調整のためのアーキテクチャがＬＴＥ／ＷＬＡＮ集成／インターワーキングのために使用される場合、ｅＮＢがＬＴＥからＷＬＡＮに、またはＷＬＡＮからＬＴＥにベアラをオフノードすることと決定する方法が問題になり得る。また、特定ＵＥがＷＬＡＮによりサービスされるか否かをコアネットワークが認知する方法も問題になることができる。
【００４６】
前述した問題点を解決するために、３ＧＰＰ／ＷＬＡＮ調整を向上させるための方法が提案される。本発明の一実施形態によれば、ｅＮＢがＬＴＥからＷＬＡＮに、またはＷＬＡＮからＬＴＥにベアラをオフローディングするように決定することを補助するための方法が提案される。本発明の他の実施形態によって、特定ＵＥがＷＬＡＮによりサービスされるか否かをコアネットワークに通知するための方法が提案される。
【００４７】
まず、本発明の実施形態によってｅＮＢがベアラをオフローディングするよう決定することを補助するために、ＬＴＥ／ＷＬＡＮ調整のための指示を送信するための方法が説明される。
【００４８】
図７は、本発明の一実施形態に係るＬＴＥ／ＷＬＡＮ調整のための指示を送信するための方法を示す。図７に示された方法は、セル−特定方式に対応する。すなわち、図７に示された方法は、ｅＮＢに連結された全てのＵＥに適用されることができる。
【００４９】
ステップＳ１００においてｅＮＢは、ＷＬＡＮオフローディング支援の第１の指示をＭＭＥに送信する。前記第１の指示は、ｅＮＢがＷＬＡＮオフローディングを支援するか否かを指示する。前記第１の指示は、Ｓ１設定手順の間、Ｓ１設定要請メッセージを介して送信されるか、またはＳ１設定が完了した後、ｅＮＢ構成アップデートメッセージを介して送信されることができる。しかし、Ｓ１設定要請メッセージまたはｅＮＢ構成アップデートメッセージは、単に例示であり、前記第１の指示は、他の既存のメッセージまたはこのような目的のために新しく定義されたメッセージを介して送信されることができる。また、前記ＷＬＡＮオフローディング支援の第１の指示とともに、ＷＬＡＮ  ＩＤ（例えば、ＳＳＩＤ（ｓｅｒｖｉｃｅ  ｓｅｔ  ＩＤ））がＭＭＥに送信され得る。
【００５０】
ステップＳ１０１においてＭＭＥは、互いに異なる課金規則を適用する第２の指示をｅＮＢに送信する。前記第２の指示は、ｅＮＢがＵＥ別に特定ベアラのオフローディング状態に関してＭＭＥに報告する必要があることを指示する。第２の指示情報は、Ｓ１設定手順の間に、Ｓ１設定要請メッセージに対する応答としてＳ１設定応答メッセージを介して送信されるか、またはＳ１設定が完了した後、ｅＮＢ構成アップデートメッセージに対する応答としてｅＮＢ構成アップデート確認応答（ａｃｋｎｏｗｌｅｄｇｅ）メッセージを介して送信されることができる。しかし、Ｓ１設定応答メッセージまたはｅＮＢ構成アップデート確認応答メッセージは、単に例示であり、前記第２の指示は、他の既存のメッセージまたはこのような目的のために新しく定義されたメッセージを介して送信されることができる。
【００５１】
図８は、本発明の他の実施形態に係るＬＴＥ／ＷＬＡＮ調整のための指示を送信するための方法を示す。図８に示された方法は、図７に示された方法の一例に対応し、これは、Ｓ１設定手順の間、Ｓ１設定要請／応答メッセージにより実現される。
【００５２】
ステップＳ１１０においてｅＮＢは、Ｓ１設定要請メッセージをＭＭＥに送信する。Ｓ１設定要請メッセージは、ＴＮＬ（ｔｒａｎｓｐｏｒｔ  ｎｅｔｗｏｒｋ  ｌａｙｅｒ）連関のための情報を伝達するのに使用される。表１及び表２は、本発明の一実施形態に係るＳ１設定要請メッセージの一例を図示する。
【００５３】
＜表１＞
0006513834.tif 000002
【００５４】
＜表２＞
0006513834.tif 000003
【００５５】
表１を参照すれば、Ｓ１設定要請メッセージは、「ｉｎｄｉｃａｔｉｏｎ  ｏｆ  ＷＬＡＮ  ｏｆｆｌｏａｄｉｎｇ  ｓｕｐｐｏｒｔ」フィールドを含むことができ、これは、図７に示された第１の指示に対応する。また、Ｓ１設定要請メッセージは、「Ｌｉｓｔ  ｏｆ  ＷＬＡＮ」フィールドを含むことができる。
【００５６】
ステップＳ１１１においてＭＭＥは、Ｓ１設定応答メッセージをｅＮＢに送信する。Ｓ１設定応答メッセージは、ＴＮＬ連関のための情報を送信するのに使用される。表３及び表４は、本発明の一実施形態に係るＳ１設定応答メッセージの一例を図示する。
【００５７】
＜表３−１＞
0006513834.tif 000004
＜表３−２＞
0006513834.tif 000005
【００５８】
＜表４＞
0006513834.tif 000006
【００５９】
表３を参照すると、Ｓ１設定応答メッセージは、「ｗｉｔｈ  ｉｎｄｉｃａｔｉｏｎ  ｏｆ  ａｐｐｌｙｉｎｇ  ｄｉｆｆｅｒｅｎｔ  ｃｈａｒｇｉｎｇ  ｒｕｌｅ」フィールドを含むことができ、これは、図７に示された第２の指示に対応する。
【００６０】
図９は、本発明の他の実施形態に係るＬＴＥ／ＷＬＡＮ調整のための指示を送信するための方法を示す。図９に示された方法は、図７に示された方法の一例に対応し、これは、ｅＮＢ構成アップデート手順の間、ｅＮＢ構成アップデート／確認応答メッセージにより実現される。
【００６１】
ステップＳ１２０においてｅＮＢは、ｅＮＢ構成アップデートメッセージをＭＭＥに送信する。ｅＮＢ構成アップデートメッセージは、ＴＮＬ連関のためにアップデートされた情報を伝達するのに使用される。表５及び表６は、本発明の一実施形態に係るｅＮＢ構成アップデートメッセージの例を図示する。
【００６２】
＜表５＞
0006513834.tif 000007
【００６３】
＜表６＞
0006513834.tif 000008
【００６４】
表５を参照すれば、ｅＮＢ構成アップデートメッセージは、「ｉｎｄｉｃａｔｉｏｎ  ｏｆ  ＷＬＡＮ  ｏｆｆｌｏａｄｉｎｇ  ｓｕｐｐｏｒｔ」フィールドを含むことができ、これは、図７に示された第１の指示に対応する。また、ｅＮＢ構成アップデートメッセージは、「Ｌｉｓｔ  ｏｆ  ＷＬＡＮ」フィールドを含むことができる。
【００６５】
ステップＳ１２１においてＭＭＥは、ｅＮＢ構成アップデート確認応答メッセージをｅＮＢに送信する。ｅＮＢ構成アップデート確認応答メッセージは、ＴＮＬ連関のためのｅＮＢ伝達アップデートされた情報を確認応答するのに使用される。表７は、本発明の一実施形態に係るｅＮＢ構成アップデート確認応答メッセージの一例を図示する。
【００６６】
＜表７＞
0006513834.tif 000009
【００６７】
表７を参照すれば、ｅＮＢ構成アップデート応答メッセージは、「ｗｉｔｈｉｎｄｉｃａｔｉｏｎ  ｏｆ  ａｐｐｌｙｉｎｇ  ｄｉｆｆｅｒｅｎｔ  ｃｈａｒｇｉｎｇ  ｒｕｌｅ」フィールドを含むことができ、これは、図７に示された第２の指示に対応する。
【００６８】
図１０は、本発明の他の実施形態に係るＬＴＥ／ＷＬＡＮ調整のための指示を送信するための方法を示す。図１０に示された方法は、ＵＥ−特定方式に対応する。すなわち、図１０に示された方法は、ｅＮＢに連結された特定ＵＥに適用されることができる。
【００６９】
ステップＳ２００においてｅＮＢは、ＷＬＡＮオフノード支援の第１の指示をＭＭＥに送信する。前記第１の指示は、ｅＮＢがＷＬＡＮオフローディングを支援するか否かを指示する。前記第１の指示は、初期ＵＥメッセージまたは上向きリンクＮＡＳ伝達メッセージを介して送信されることができる。しかし、初期ＵＥメッセージまたは上向きリンクＮＡＳ伝達メッセージは、単に一例であり、前記第１の指示は、他の既存のメッセージまたはこのような目的のために新しく定義されたメッセージを介して送信されることができる。また、ＷＬＡＮオフローディング支援の第１の指示とともに、支援されるＷＬＡＮ  ＩＤ（例えば、ＳＳＩＤ）がＭＭＥに送信され得る。
【００７０】
ステップＳ２０１においてＭＭＥは、あるベアラがオフローディングされ得るかに関する第２の指示をｅＮＢに送信する。前記第２の指示は、ＬＴＥからＷＬＡＮに、またはＷＬＡＮからＬＴＥに、あるベアラがオフローディングされ得るかに関するガイドラインを指示する。より具体的には、前記第２の指示は、次のうちの少なくとも１つを指示できる。
【００７１】
（１）特定ＵＥの全てのＥ−ＲＡＢ（Ｅ−ＵＴＲＡＮ  ｒａｄｉｏ  ａｃｃｅｓｓ  ｂｅａｒｅｒ）がオフローディングされ得る。
【００７２】
（２）特定ＵＥのそれぞれの特定Ｅ−ＲＡＢがオフローディングされ得るか、またはオフローディングされ得ない。
【００７３】
（３）特定ＵＥのＥ−ＲＡＢの一部がオフローディングされ得るか、またはオフローディングされ得ない。
【００７４】
（４）特定ＵＥの全てのＥ−ＲＡＢは、オフローディングされることができない。
【００７５】
（５）オフローディングは、ＭＭＥの政策、例えば、課金に影響を与える。したがって、第２の指示が、オフローディングがＭＭＥの政策に影響を与えるということを指示する場合、ｅＮＢは、オフローディングが行われるか否かをＭＭＥに報告する必要がある。
【００７６】
前記第２の指示は、初期コンテクスト設定要請メッセージを介して、またはＥ−ＲＡＢ設定要請メッセージを介して、またはＥ−ＲＡＢ修正要請メッセージを介して送信されることができる。しかし、初期コンテクスト設定要請メッセージ、Ｅ−ＲＡＢ設定要請メッセージ、またはＥ−ＲＡＢ修正要請メッセージは、単に一例であり、他の既存のメッセージまたはこのような目的のために新しく定義されたメッセージを介して送信されることができる。
【００７７】
ステップＳ２０２において、前記第２の指示を受信時に、ｅＮＢは、前記第２の指示に応じて特定ＵＥに対してオフローディング方式を適用する。
【００７８】
２番目に、本発明の一実施形態に係る特定ＵＥまたは特定ベアラがＷＬＡＮによりサービスされるか否かをコアネットワーク（例えば、ＭＭＥ）に通知するための方法が説明される。上述したステップＳ２０１において無線レベルでオフローディングを適用した後、ｅＮＢは、特定ＵＥに対してオフローディングが行われたか否かに関し、ＭＭＥにフィードバックすることができる。より具体的には、ｅＮＢは、ＬＴＥからＷＬＡＮに、またはＷＬＡＮからＬＴＥにオフローディングされる詳細なＥ−ＲＡＢをＭＭＥに通知できる。これにより、コアネットワークは、特定ＵＥがＷＬＡＮによりサービスされるか否かを分かる。代案的に、他の専用シグナリング方式が可能でありうる。ｅＮＢがオフローディングに対してＭＭＥに通知する度にｅＮＢはシグナリングをトリガーできる。より具体的には、ｅＮＢは、オフローディングが行われるか否かに関し、ＭＭＥに通知することができる。すなわち、ｅＮＢは、ＬＴＥからＷＬＡＮに、またはＷＬＡＮからＬＴＥにオフローディングされる詳細なＥ−ＲＡＢに対してＭＭＥに通知することができる。また、ｅＮＢは、オフローディングされるＷＬＡＮ  ＩＤに関し、ＭＭＥに通知することができ、これは、課金政策に影響を及ぼすことができる。ｅＮＢから情報を受信時に、ＭＭＥは、前記情報をＨＳＳ（ｈｏｍｅ  ｓｕｂｓｃｒｉｂｅｒ  ｓｅｒｖｅｒ）に送信し、政策を適用できる。
【００７９】
図１１は、本発明の他の実施形態に係るＬＴＥ／ＷＬＡＮ調整のための指示を送信するための方法を示す。図１１に示された方法は、図１０のステップＳ２００に対応し、これは、初期ＵＥメッセージにより実現される。
【００８０】
ステップＳ２１０においてｅＮＢは、初期ＵＥメッセージをＭＭＥに送信する。初期ＵＥメッセージは、Ｓ１インターフェースを介して初期階層３メッセージをＭＭＥに送信するのに使用される。表８は、本発明の実施形態に係る初期ＵＥメッセージの例を図示する。
【００８１】
＜表８−１＞
0006513834.tif 000010
＜表８−２＞
0006513834.tif 000011
【００８２】
表８を参照すれば、初期ＵＥメッセージは、「ｉｎｄｉｃａｔｉｏｎ  ｏｆＷＬＡＮ  ｏｆｆｌｏａｄｉｎｇ  ｓｕｐｐｏｒｔ  ａｎｄ  ｏｒ  ｗｉｔｈ  ｔｈｅ  ｓｕｐｐｏｒｔｅｄ  ＷＬＡＮ  ＳＳＩＤｓ」フィールドを含むことができ、これは、図１０に示された第１の指示に対応する。
【００８３】
図１２は、本発明の他の実施形態に係るＬＴＥ／ＷＬＡＮ調整のための指示を送信するための方法を示す。図１２に示された方法は、図１０のステップＳ２００に対応し、これは、上向きリンクＮＡＳ伝達メッセージにより実現される。
【００８４】
ステップＳ２２０においてｅＮＢは、上向きリンクＮＡＳ伝達メッセージをＭＭＥに送信する。上向きリンクＮＡＳ伝達メッセージは、Ｓ１インターフェースを介してＮＡＳ情報を運搬するのに使用される。表９は、本発明の一実施形態に係る上向きリンクＮＡＳ伝達メッセージの一例を図示する。
【００８５】
＜表９＞
0006513834.tif 000012
【００８６】
表９を参照すれば、上向きリンクＮＡＳ伝達メッセージは、「ｉｎｄｉｃａｔｉｏｎ  ｏｆ  ＷＬＡＮ  ｏｆｆｌｏａｄｉｎｇ  ｓｕｐｐｏｒｔ  ａｎｄ  ｏｒ  ｗｉｔｈ  ｔｈｅ  ｓｕｐｐｏｒｔｅｄ  ＷＬＡＮ  ＳＳＩＤｓ」フィールドを含むことができ、これは、図１０に示された第１の指示に対応する。
【００８７】
図１３は、本発明の他の実施形態に係るＬＴＥ／ＷＬＡＮ調整のための指示を送信するための方法を示す。図１３に示された方法は、図１０のステップＳ２０１に対応し、これは、初期コンテクスト設定要請メッセージにより実現される。
【００８８】
ステップＳ２３０においてｅＮＢは、初期コンテクスト設定要請メッセージをＭＭＥに送信する。初期コンテクスト設定要請メッセージは、ＵＥコンテクストの設定を要請するのに使用される。表１０は、本発明の一実施形態に係る初期コンテクスト設定要請メッセージの一例を示す。
【００８９】
＜表１０−１＞
0006513834.tif 000013
＜表１０−２＞
0006513834.tif 000014
＜表１０−３＞
0006513834.tif 000015
【００９０】
表１０を参照すれば、初期コンテクスト設定要請メッセージは、図１０に示された第１の指示に対応する各Ｅ−ＲＡＢに対する「ｏｆｆｌｏａｄａｂｌｅ  ｏｒ  ｎｏｔ」フィールドを含むことができる。これは、前記特定ＵＥのそれぞれの特定Ｅ−ＲＡＢがオフローディングされ得るか否かを指示する。また、前記初期コンテクスト設定要請メッセージは、図１０に示された第１の指示に対応する「Ｏｆｆｌｏａｄｉｎｇ  ｔｏ  ＷＬＡＮ」フィールドを含むことができる。これは、特定ＵＥの全てのＥ−ＲＡＢがオフローディングされ得ることを示す。また、前記初期コンテクスト設定要請メッセージは、図１０に示された第１の指示に該当する「Ｎｏｔ  Ｏｆｆｌｏａｄｉｎｇ  ｔｏ  ＷＬＡＮ」フィールドを含むことができる。これは、特定ＵＥの全てのＥ−ＲＡＢがオフローディングされ得ないことを示す。また、初期コンテクスト設定要請メッセージは、図１０に示された第１の指示に対応する「Ｏｆｆｌｏａｄｉｎｇ  ｔｏ  ＷＬＡＮ  ａｆｆｅｃｔｓ  ｔｏ  ＭＭＥ  ｐｏｌｉｃｙ、ｅ．ｇ．ｃｈａｒｇｉｎｇ」フィールドを含むことができる。これは、オフローディングがＭＭＥの政策に影響を与えるということを示す。
【００９１】
図１４は、本発明の他の実施形態に係るＬＴＥ／ＷＬＡＮ調整のための指示を送信するための方法を示す。図１４に示された方法は、図１０のステップＳ２０１に対応し、これは、Ｅ−ＲＡＢ設定要請メッセージにより実現される。
【００９２】
ステップＳ２４０においてｅＮＢは、Ｅ−ＲＡＢ設定要請メッセージをＭＭＥに送信する。Ｅ−ＲＡＢ設定要請メッセージは、１つまたは複数のＥ−ＲＡＢに対し、Ｕｕ及びＳ１を介して資源を割り当てるようにｅＮＢに要請するのに使用される。表１１は、本発明の一実施形態に係るＥ−ＲＡＢ設定要請メッセージの一例を示す。
【００９３】
＜表１１＞
0006513834.tif 000016
【００９４】
表１１を参照すれば、Ｅ−ＲＡＢ設定要請メッセージは、図１０に示された第１の指示に対応する各Ｅ−ＲＡＢに対する「ｏｆｆｌｏａｄａｂｌｅ  ｏｒ  ｎｏｔ」フィールドを含むことができる。これは、前記特定ＵＥのそれぞれの特定Ｅ−ＲＡＢがオフローディングされ得るか否かを指示する。また、Ｅ−ＲＡＢ設定要請メッセージは、図１０に示された第１の指示に対応する「Ｏｆｆｌｏａｄｉｎｇ  ｔｏ  ＷＬＡＮ」フィールドを含むことができる。これは、特定ＵＥの全てのＥ−ＲＡＢがオフローディングされ得ることを指示する。また、Ｅ−ＲＡＢ設定要請メッセージは、図１０に示された第１の指示に対応する「Ｎｏｔ  Ｏｆｆｌｏａｄｉｎｇ  ｔｏ  ＷＬＡＮ」フィールドを含むことができる。これは、特定ＵＥの全てのＥ−ＲＡＢがオフローディングされ得ないことを指示する。また、前記Ｅ−ＲＡＢ設定要請メッセージは、図１０に示された第１の指示に対応する「Ｏｆｆｌｏａｄｉｎｇ  ｔｏ  ＷＬＡＮ  ａｆｆｅｃｔｓ  ｔｏ  ＭＭＥ  ｐｏｌｉｃｙ、ｅ．ｇ．ｃｈａｒｇｉｎｇ」フィールドを含むことができる。これは、オフローディングがＭＭＥの政策に影響を及ぼすことを指示する。
【００９５】
図１５は、本発明の他の実施形態に係るＬＴＥ／ＷＬＡＮ調整のための指示を送信するための方法を示す。図１５に示された方法は、図１０のステップＳ２０１に対応し、これは、Ｅ−ＲＡＢ修正要請メッセージにより実現される。
【００９６】
ステップＳ２４０においてｅＮＢは、Ｅ−ＲＡＢ修正要請メッセージをＭＭＥに送信する。Ｅ−ＲＡＢ修正要請メッセージは、ｅＮＢが１つまたは複数のＥ−ＲＡＢに対し、Ｕｕ及びＳ１を介してデータ無線ベアラ及び割り当てられた資源を修正するように要請するのに使用される。表１２は、本発明の一実施形態に係るＥ−ＲＡＢ修正要請メッセージの例を図示する。
【００９７】
＜表１２＞
0006513834.tif 000017
【００９８】
表１２を参照すれば、Ｅ−ＲＡＢ修正要請メッセージは、図１０に示された第１の指示に対応する各Ｅ−ＲＡＢに対する「ｏｆｆｌｏａｄａｂｌｅ  ｏｒ  ｎｏｔ」フィールドを含むことができる。これは、前記特定ＵＥのそれぞれの特定Ｅ−ＲＡＢがオフローディングされ得るか否かを指示する。また、Ｅ−ＲＡＢ修正要請メッセージは、図１０に示された第１の指示に対応する「Ｏｆｆｌｏａｄｉｎｇ  ｔｏ  ＷＬＡＮ」フィールドを含むことができる。これは、特定ＵＥの全てのＥ−ＲＡＢがオフローディングされ得ることを指示する。また、Ｅ−ＲＡＢ修正要請メッセージは、図１０に示された第１の指示に対応する「Ｎｏｔ  Ｏｆｆｌｏａｄｉｎｇ  ｔｏ  ＷＬＡＮ」フィールドを含むことができる。これは、特定ＵＥの全てのＥ−ＲＡＢがオフローディングされ得ないことを指示する。また、前記Ｅ−ＲＡＢ修正要請メッセージは、図１０に示された第１の指示に対応する「Ｏｆｆｌｏａｄｉｎｇ  ｔｏ  ＷＬＡＮ  ａｆｆｅｃｔｓ  ｔｏ  ＭＭＥ  ｐｏｌｉｃｙ、ｅ．ｇ．ｃｈａｒｇｉｎｇ」フィールドを含むことができる。これは、オフローディングがＭＭＥの政策に影響を及ぼすことを指示する。
【００９９】
図１６は、本発明の実施形態が実現される無線通信システムを示す。
【０１００】
ｅＮＢ（８００）は、プロセッサ（ｐｒｏｃｅｓｓｏｒ；８１０）、メモリ（ｍｅｍｏｒｙ；８２０）、及び送受信部（ｔｒａｎｓｃｅｉｖｅｒ；８３０）を備えることができる。プロセッサ８１０は、本明細書において説明された機能、過程、及び／又は方法を実現するように構成されることができる。無線インターフェースプロトコルの階層は、プロセッサ８１０により実現されることができる。メモリ８２０は、プロセッサ８１０と連結されて、プロセッサ８１０を駆動するための様々な情報を格納する。送受信部８３０は、プロセッサ８１０と連結されて、無線信号を送信及び／又は受信する。
【０１０１】
ＭＭＥ（９００）は、プロセッサ９１０、メモリ９２０、及び送受信部９３０を備えることができる。プロセッサ９１０は、本明細書において説明された機能、過程、及び／又は方法を実現するように構成されることができる。無線インターフェースプロトコルの階層は、プロセッサ９１０により実現されることができる。メモリ９２０は、プロセッサ９１０と連結されて、プロセッサ９１０を駆動するための様々な情報を格納する。送受信部９３０は、プロセッサ９１０と連結されて、無線信号を送信及び／又は受信する。
【０１０２】
プロセッサ８１０、９１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、及び／又はデータ処理装置を備えることができる。メモリ８２０、９２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体、及び／又は他の格納装置を備えることができる。送受信部８３０、９３０は、無線周波数信号を処理するためのベースバンド回路を備えることができる。実施形態がソフトウェアで実現されるとき、上述した技法は、上述した機能を果たすモジュール（過程、機能等）で実現されることができる。モジュールは、メモリ８２０、９２０に格納され、プロセッサ８１０、９１０により実行されることができる。メモリ８２０、９２０は、プロセッサ８１０、９１０の内部または外部にありうるし、よく知られた様々な手段にてプロセッサ８１０、９１０と連結されることができる。
【０１０３】
前述した例示的なシステムにおいて、前述した本発明の特徴によって実現されることができる方法は、流れ図に基づいて説明された。便宜上、方法は、一連のステップまたはブロックで説明したが、請求された本発明の特徴は、ステップまたはブロックの順序に限定されるものではなく、あるステップは、異なるステップと、前述と異なる順序にまたは同時に発生できる。また、当業者であれば、流れ図に示すステップが排他的でなく、他のステップが含まれ、または流れ図の１つまたはそれ以上のステップが本発明の範囲に影響を及ぼさずに削除可能であることを理解することができる。
【図１】
0006513834.tif 000018
【図２】
0006513834.tif 000019
【図３】
0006513834.tif 000020
【図４】
0006513834.tif 000021
【図５】
0006513834.tif 000022
【図６】
0006513834.tif 000023
【図７】
0006513834.tif 000024
【図８】
0006513834.tif 000025
【図９】
0006513834.tif 000026
【図１０】
0006513834.tif 000027
【図１１】
0006513834.tif 000028
【図１２】
0006513834.tif 000029
【図１３】
0006513834.tif 000030
【図１４】
0006513834.tif 000031
【図１５】
0006513834.tif 000032
【図１６】
0006513834.tif 000033